【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
ワイヤレスシンクデバイスとして機能するように構成された乗り物ダッシュボードからワイヤレスソースデバイスにユーザ入力データを送信する方法であって、前記方法は、
前記ダッシュボードのディスプレイデバイスにおいてユーザ入力データを取得することと、
データパケットヘッダを生成することと、ここで、前記データパケットヘッダは、前記ユーザ入力データの入力カテゴリーを識別するためのフィールドを備える、
前記データパケットヘッダとペイロードデータとを備えるデータパケットを生成することと、
前記データパケットを前記ワイヤレスソースデバイスに送信することと
を備える、方法。
【請求項２】
前記ダッシュボードが、前記ソースデバイスからヘッダとペイロードデータとを備えるデータパケットを受信することと、ここで、前記ペイロードデータは、符号化ビデオデータを備える、
前記ダッシュボードのビデオデコーダが、前記符号化ビデオデータを復号することと、
前記復号されたビデオデータに基づいて、前記ソースデバイス上に常駐する少なくとも１つのアプリケーションのグラフィカルユーザインターフェースをレンダリングすることと、
前記ダッシュボードの前記ディスプレイデバイスにおいて、前記グラフィカルユーザインターフェースを出力することと
をさらに備える、請求項１に記載の方法。
【請求項３】
前記ユーザ入力データは、前記ソースデバイス上に常駐する前記少なくとも１つのアプリケーションの前記グラフィカルユーザインターフェースとの前記ダッシュボードの前記ディスプレイデバイスにおけるユーザインタラクトを示すデータを備える、
請求項２に記載の方法。
【請求項４】
前記ユーザ入力データは、前記ソースデバイス上に常駐する１つまたは複数のアプリケーションとの前記ダッシュボードの前記ディスプレイデバイスにおけるユーザインタラクトを示すデータを備える、
請求項１に記載の方法。
【請求項５】
前記ダッシュボードが、前記ソースデバイスから認証キーを備えるデータを受信することと、
前記認証キーに基づいて前記ソースデバイスとの通信セッションを開くべきかどうかを判断することと、
前記ダッシュボードとの通信のために、前記ソースデバイスが認証されたことを示すメッセージを前記ソースデバイスに送信することと
をさらに備える、請求項１に記載の方法。
【請求項６】
前記ダッシュボードが、前記認証キーを備えるデータを受信することは、前記ダッシュボードが、前記ソースデバイスから前記認証キーを備える暗号化データを受信することを備え、前記データを解読することをさらに備える、
請求項５に記載の方法。
【請求項７】
チャレンジキーを備えるデータを前記ワイヤレスソースデバイスに送信することをさらに備え、前記認証キーが、前記チャレンジキーを備える前記データの少なくとも一部に関連付けられる、
請求項５に記載の方法。
【請求項８】
前記ダッシュボードが、前記ソースデバイスの動作状態が乗り物の動作状態に基づいて設定されるように前記ダッシュボードが配置された前記乗り物の前記動作状態を示すメッセージを、前記ソースデバイスに送信することをさらに備える、
請求項１に記載の方法。
【請求項９】
前記メッセージは、前記乗り物が移動していることを示し、前記ダッシュボードが、前記ソースデバイスに前記ソースデバイスの１つまたは複数の機能へのアクセスを制限させるように構成されたコマンドを、前記ソースデバイスに送信することをさらに備える、
請求項８に記載の方法。
【請求項１０】
前記コマンドは、前記ソースデバイスに電話発呼、テキストメッセージング、および電子メール機能のうちの少なくとも１つを備える１つまたは複数のユーザ機能へのアクセスを制限させるように構成される、
請求項９に記載の方法。
【請求項１１】
前記ダッシュボードが、前記ダッシュボードが配置された乗り物の動作に関係するデータを取得することと、
前記乗り物の前記動作に関係する前記データを前記ソースデバイスに送信することと
をさらに備える、請求項１に記載の方法。
【請求項１２】
前記乗り物の前記動作に関係する前記データは、乗り物速度、加速度、制動、ガスマイレージ、エラーコード、および診断データのうちの少なくとも１つを備える、
請求項１１に記載の方法。
【請求項１３】
前記乗り物は、自動車を備える、
請求項１に記載の方法。
【請求項１４】
ワイヤレスシンクデバイスとして機能し、ワイヤレスソースデバイスにユーザ入力データを送信するように構成された乗り物ダッシュボードであって、前記ダッシュボードは、
命令を記憶するメモリと、
ユーザ入力データを取得するように構成されたディスプレイデバイスと、
前記命令を実行するように構成された１つまたは複数のプロセッサと、ここで、前記命令の実行時に前記１つまたは複数のプロセッサが、
データパケットヘッダを生成することと、ここで、前記データパケットヘッダは、前記ユーザ入力データの入力カテゴリーを識別するためのフィールドを備える、
前記データパケットヘッダとペイロードデータとを備えるデータパケットを生成することと
を引き起こす、１つまたは複数のプロセッサと、
前記データパケットを前記ワイヤレスソースデバイスに送信するためのトランスポートユニットと
を備える、乗り物ダッシュボード。
【請求項１５】
ビデオデコーダをさらに備え、前記トランスポートユニットは、前記ソースデバイスからヘッダとペイロードデータとを備えるデータパケットを受信し、前記ペイロードデータが符号化ビデオデータを備え、前記ダッシュボードの前記ビデオデコーダが前記符号化ビデオデータを復号し、前記命令の実行時に前記１つまたは複数のプロセッサが、
前記復号されたビデオデータに基づいて、前記ソースデバイス上に常駐する少なくとも１つのアプリケーションのグラフィカルユーザインターフェースをレンダリングすることと、
前記ディスプレイデバイスにおいて前記グラフィカルユーザインターフェースを出力することと
を引き起こす、請求項１４に記載の乗り物ダッシュボード。
【請求項１６】
前記ユーザ入力データは、前記ソースデバイス上に常駐する前記少なくとも１つのアプリケーションの前記グラフィカルユーザインターフェースとの前記ダッシュボードの前記ディスプレイデバイスにおけるユーザインタラクトを示すデータを備える、
請求項１５に記載の乗り物ダッシュボード。
【請求項１７】
前記ユーザ入力データは、前記ソースデバイス上に常駐する１つまたは複数のアプリケーションとの前記ダッシュボードの前記ディスプレイデバイスにおけるユーザインタラクトを示すデータを備える、
請求項１４に記載の乗り物ダッシュボード。
【請求項１８】
前記トランスポートユニットが、前記ソースデバイスから認証キーを備えるデータを受信することと、
前記命令の実行時に前記１つまたは複数のプロセッサが、前記認証キーに基づいて前記ソースデバイスとの通信セッションを開くべきかどうかを判断することを引き起こすことと、
前記トランスポートユニットが、前記ダッシュボードとの通信のために、前記ソースデバイスが認証されたことを示すメッセージを、前記ソースデバイスに送信することと
をさらに備える、請求項１４に記載の乗り物ダッシュボード。
【請求項１９】
前記トランスポートユニットが、前記ソースデバイスから認証キーを備える暗号化データを受信することをさらに備え、前記命令の実行時に前記１つまたは複数のプロセッサが、前記データを解読することを引き起こす、
請求項１８に記載の乗り物ダッシュボード。
【請求項２０】
前記トランスポートユニットは、チャレンジキーを備えるデータを前記ワイヤレスソースデバイスに送信し、前記認証キーが、前記チャレンジキーを備える前記データの少なくとも一部に関連付けられる、
請求項１８に記載の乗り物ダッシュボード。
【請求項２１】
前記トランスポートユニットは、前記ソースデバイスの動作状態が乗り物の動作状態に基づいて設定されるように前記ダッシュボードが配置された前記乗り物の前記動作状態を示すメッセージを、前記ソースデバイスに送信することをさらに備える、請求項１４に記載の乗り物ダッシュボード。
【請求項２２】
前記メッセージは、前記乗り物が移動していることを示し、前記トランスポートユニットが、前記ソースデバイスに前記ソースデバイスの１つまたは複数の機能へのアクセスを制限させるように構成されたコマンドを前記ソースデバイスに送信することをさらに備える、
請求項２１に記載の乗り物ダッシュボード。
【請求項２３】
前記コマンドは、前記ソースデバイスに電話発呼、テキストメッセージング、および電子メール機能のうちの少なくとも１つを備える１つまたは複数のユーザ機能へのアクセスを制限させるように構成される、
請求項２２に記載の乗り物ダッシュボード。
【請求項２４】
前記命令の実行時に前記１つまたは複数のプロセッサが、前記ダッシュボードが配置された乗り物の動作に関係するデータを取得することを引き起こすことと、
前記トランスポートユニットが、前記乗り物の前記動作に関係する前記データを前記ソースデバイスに送信することと
をさらに備える、請求項１４に記載の乗り物ダッシュボード。
【請求項２５】
前記乗り物の前記動作に関係する前記データは、乗り物速度、加速度、制動、ガスマイレージ、エラーコード、および診断データのうちの少なくとも１つを備える、
請求項２４に記載の乗り物ダッシュボード。
【請求項２６】
前記乗り物は、自動車を備える、
請求項１４に記載の乗り物ダッシュボード。
【請求項２７】
１つまたは複数のプロセッサによって実行されると、ワイヤレスシンクデバイスとして機能するように構成された乗り物ダッシュボードからワイヤレスソースデバイスにユーザ入力データを送信する方法を実行することを前記１つまたは複数のプロセッサに行わせる、命令を記憶するコンピュータ可読記憶媒体であって、前記方法は、
前記ダッシュボードのディスプレイデバイスにおいてユーザ入力データを取得することと、
データパケットヘッダを生成することと、ここで、前記データパケットヘッダは、前記ユーザ入力データの入力カテゴリーを識別するためのフィールドを備える、
前記データパケットヘッダとペイロードデータとを備えるデータパケットを生成することと、
前記データパケットを前記ワイヤレスソースデバイスに送信することと
を備える、コンピュータ可読記憶媒体。
【請求項２８】
ワイヤレスシンクデバイスとして機能し、ワイヤレスソースデバイスにユーザ入力データを送信するように構成された乗り物ダッシュボードであって、前記ワイヤレスシンクデバイスは、
前記ダッシュボードのディスプレイデバイスにおいてユーザ入力データを取得するための手段と、
データパケットヘッダを生成するための手段と、ここで、前記データパケットヘッダは、前記ユーザ入力データの入力カテゴリーを識別するためのフィールドを備える、
前記データパケットヘッダとペイロードデータとを備えるデータパケットを生成するための手段と、
前記データパケットを前記ワイヤレスソースデバイスに送信するための手段と
を備える、乗り物ダッシュボード。
【請求項２９】
ワイヤレスソースデバイスにおいて、ワイヤレスシンクデバイスとして機能するように構成された乗り物ダッシュボードからユーザ入力データを受信する方法であって、前記方法は、
前記ダッシュボードからデータパケットを受信することと、ここで、前記データパケットは、データパケットヘッダとペイロードデータとを備える、
前記ペイロードデータ中に含まれているユーザ入力データに関連付けられた入力カテゴリーを判断するために前記データパケットヘッダをパースすることと、
前記判断された入力カテゴリーに基づいて前記ペイロードデータを処理することと
を備える、方法。
【請求項３０】
前記ソースデバイスが、前記ソースデバイス上に常駐する少なくとも１つのアプリケーションのグラフィカルユーザインターフェースを備えるビデオデータをキャプチャすることと、
前記ソースデバイスのビデオエンコーダが前記ビデオデータを符号化することと、
ヘッダとペイロードデータとを備えるデータパケットを前記ダッシュボードに送信することと
をさらに備え、前記ペイロードデータは、前記符号化ビデオデータを備える、
請求項２９に記載の方法。
【請求項３１】
前記ユーザ入力データが、前記ソースデバイス上に常駐する前記少なくとも１つのアプリケーションの前記グラフィカルユーザインターフェースとの前記ダッシュボードのディスプレイデバイスにおけるユーザインタラクトを示すデータを備える、
請求項３０に記載の方法。
【請求項３２】
前記ユーザ入力データが、前記ソースデバイス上に常駐する１つまたは複数のアプリケーションとの前記ダッシュボードのディスプレイデバイスにおけるユーザインタラクトを示すデータを備える、
請求項２９に記載の方法。
【請求項３３】
前記ソースデバイスから前記ダッシュボードに認証キーを備えるデータを送信することと、ここで、前記ダッシュボードは、前記認証キーに基づいて前記ソースデバイスとの通信セッションを開くべきかどうかを判断するように構成される、
前記ソースデバイスが、前記ダッシュボードから、前記ダッシュボードとの通信のために、前記ソースデバイスが認証されたことを示すメッセージを受信することと
をさらに備える、請求項２９に記載の方法。
【請求項３４】
前記ソースデバイスが、前記認証キーを備える前記データを暗号化することをさらに備え、前記ダッシュボードは、前記データを解読するように構成される、
請求項３３に記載の方法。
【請求項３５】
前記ソースデバイスは、前記ダッシュボードからチャレンジキーを備えるデータを受信することをさらに備え、前記認証キーは、前記チャレンジキーを備える前記データの少なくとも一部に関連付けられる、
請求項３３に記載の方法。
【請求項３６】
前記ソースデバイスは、前記ダッシュボードから、前記ダッシュボードが配置された乗り物の動作状態を示すメッセージを受信することと、
前記乗り物の前記動作状態に基づいて前記ソースデバイスの動作状態を設定することと
をさらに備える、請求項２９に記載の方法。
【請求項３７】
前記メッセージは、前記乗り物が移動していることを示し、前記乗り物が移動している間、前記ソースデバイスの１つまたは複数の機能へのアクセスを制限することをさらに備える、
請求項３６に記載の方法。
【請求項３８】
前記ソースデバイスの１つまたは複数の機能へのアクセスを制限することは、電話発呼、テキストメッセージング、および電子メール機能のうちの少なくとも１つを備える１つまたは複数のユーザ機能へのアクセスを制限することを備える、
請求項３７に記載の方法。
【請求項３９】
前記ソースデバイスが、前記ダッシュボードからメッセージを受信することと、ここで、前記メッセージは、前記ダッシュボードが配置された前記乗り物の動作に関係するデータを備える、
前記ソースデバイスが、前記ダッシュボードによって送信された前記メッセージ中の前記データの少なくとも一部を処理することと
をさらに備える、請求項２９に記載の方法。
【請求項４０】
前記乗り物の前記動作に関係する前記データが、乗り物速度、加速度、制動、ガスマイレージ、エラーコード、および診断データのうちの少なくとも１つを備える、
請求項３９に記載の方法。
【請求項４１】
前記ソースデバイスが、前記データの少なくとも一部を処理することは、前記ソースデバイスが、乗り物ガスマイレージデータを乗り物速度、加速度、および制動データのうちの少なくとも１つに相関させることを備える、
請求項４０に記載の方法。
【請求項４２】
前記ソースデバイスが、前記データの少なくとも一部を処理することは、前記ソースデバイスが、前記ダッシュボードが配置された前記乗り物にサービスについての電子要求を自動的に送信することを備える、
請求項４０に記載の方法。
【請求項４３】
前記ソースデバイスが、前記データの少なくとも一部を処理することは、前記ソースデバイスが、前記ダッシュボードが配置された前記乗り物をサービスしてもらうための電子リマインダを自動的に生成することを備える、
請求項４０に記載の方法。
【請求項４４】
前記乗り物は、自動車を備える、
請求項２９に記載の方法。
【請求項４５】
ワイヤレスシンクデバイスとして機能するように構成された乗り物ダッシュボードからユーザ入力データを受信するように構成されたワイヤレスソースデバイスであって、前記ワイヤレスソースデバイスは、
前記ダッシュボードからデータパケットを受信するためのトランスポートユニットであって、前記データパケットがデータパケットヘッダとペイロードデータとを備える、トランスポートユニットと、
命令を記憶するメモリと、
前記命令を実行するように構成された１つまたは複数のプロセッサと
を備え、前記命令の実行時に前記１つまたは複数のプロセッサが、
前記ペイロードデータ中に含まれているユーザ入力データに関連付けられた入力カテゴリーを判断するために前記データパケットヘッダをパースすることと、
前記判断された入力カテゴリーに基づいて前記ペイロードデータを処理することと
を引き起こす、ワイヤレスソースデバイス。
【請求項４６】
ビデオエンコーダをさらに備え、前記命令の実行時に前記１つまたは複数のプロセッサが、前記ソースデバイス上に常駐する少なくとも１つのアプリケーションのグラフィカルユーザインターフェースを備えるビデオデータをキャプチャすることを引き起こし、前記ビデオエンコーダが前記ビデオデータを符号化し、前記トランスポートユニットがヘッダとペイロードデータとを備えるデータパケットを前記ダッシュボードに送信し、前記ペイロードデータが前記符号化ビデオデータを備える、
請求項４５に記載のソースデバイス。
【請求項４７】
前記ユーザ入力データは、前記ソースデバイス上に常駐する前記少なくとも１つのアプリケーションの前記グラフィカルユーザインターフェースとの前記ダッシュボードのディスプレイデバイスにおけるユーザインタラクトを示すデータを備える、
請求項４６に記載のソースデバイス。
【請求項４８】
前記ユーザ入力データは、前記ソースデバイス上に常駐する１つまたは複数のアプリケーションとの前記ダッシュボードのディスプレイデバイスにおけるユーザインタラクトを示すデータを備える、
請求項４５に記載のソースデバイス。
【請求項４９】
前記トランスポートユニットは、
前記ソースデバイスから前記ダッシュボードに認証キーを備えるデータを送信することと、ここで、前記ダッシュボードは、前記認証キーに基づいて前記ソースデバイスとの通信セッションを開くべきかどうかを判断するように構成される、
前記ダッシュボードから、前記ダッシュボードとの通信のために、前記ソースデバイスが認証されたことを示すメッセージを受信することと
を行う、請求項４５に記載のソースデバイス。
【請求項５０】
前記命令の実行時に前記１つまたは複数のプロセッサが、前記認証キーを備える前記データを暗号化することを引き起こすことをさらに備え、前記ダッシュボードは、前記データを解読するように構成される、
請求項４９に記載のソースデバイス。
【請求項５１】
前記トランスポートユニットが、前記ダッシュボードからチャレンジキーを備えるデータを受信することをさらに備え、前記認証キーが、前記チャレンジキーを備える前記データの少なくとも一部に関連付けられる、
請求項４９に記載のソースデバイス。
【請求項５２】
前記トランスポートユニットが、前記ダッシュボードから、前記ダッシュボードが配置された乗り物の動作状態を示すメッセージを受信することと、
前記命令の実行時に前記１つまたは複数のプロセッサが、前記乗り物の前記動作状態に基づいて前記ソースデバイスの動作状態を設定することを引き起こすことと
をさらに備える、請求項４５に記載のソースデバイス。
【請求項５３】
前記メッセージは、前記乗り物が移動していることを示し、前記命令の実行時に前記１つまたは複数のプロセッサが、前記乗り物が移動している間、前記ソースデバイスの１つまたは複数の機能へのアクセスを制限することを引き起こすことをさらに備える、
請求項５２に記載のソースデバイス。
【請求項５４】
前記命令の実行時に、前記１つまたは複数のプロセッサが、前記ソースデバイスの１つまたは複数の機能へのアクセスを制限させることは、電話発呼、テキストメッセージング、および電子メール機能のうちの少なくとも１つを備える１つまたは複数のユーザ機能へのアクセスを制限することを引き起こすことを備える、
請求項５３に記載のソースデバイス。
【請求項５５】
前記トランスポートユニットが、前記ダッシュボードからメッセージを受信することと、ここで、前記メッセージは、前記ダッシュボードが配置された前記乗り物の動作に関係するデータを備える、
前記命令の実行時に前記１つまたは複数のプロセッサが、前記ダッシュボードによって送信された前記メッセージ中の前記データの少なくとも一部を処理することを引き起こすことと
をさらに備える、請求項４５に記載のソースデバイス。
【請求項５６】
前記乗り物の前記動作に関係する前記データは、乗り物速度、加速度、制動、ガスマイレージ、エラーコード、および診断データのうちの少なくとも１つを備える、
請求項５５に記載のソースデバイス。
【請求項５７】
前記命令の実行時に前記１つまたは複数のプロセッサが前記データの少なくとも一部を処理することを引き起こすことは、前記ソースデバイスが乗り物ガスマイレージデータを乗り物速度、加速度、および制動データのうちの少なくとも１つに相関することを引き起こすことを備える、
請求項５６に記載のソースデバイス。
【請求項５８】
前記命令の実行時に前記１つまたは複数のプロセッサが前記データの少なくとも一部を処理することを引き起こすことは、前記トランスポートユニットに、サービスについての電子要求を前記ダッシュボードが配置された前記乗り物に送信することを行わせることを備える、
請求項５６に記載のソースデバイス。
【請求項５９】
前記命令の実行時に前記１つまたは複数のプロセッサが前記データの少なくとも一部を処理することを引き起こすことは、前記ダッシュボードが配置された前記乗り物をサービスしてもらうための電子リマインダを自動的に生成することを行わせることを備える、
請求項５６に記載のソースデバイス。
【請求項６０】
前記乗り物は、自動車を備える、
請求項４５に記載のソースデバイス。
【請求項６１】
１つまたは複数のプロセッサによって実行されると、ワイヤレスシンクデバイスとして機能するように構成された乗り物ダッシュボードからワイヤレスソースデバイスにおいてユーザ入力データを受信する方法を実行することを前記１つまたは複数のプロセッサに行わせる、命令を記憶するコンピュータ可読記憶媒体であって、前記方法は、
前記ダッシュボードからデータパケットを受信することと、ここで、前記データパケットがデータパケットヘッダとペイロードデータとを備える、
前記ペイロードデータ中に含まれているユーザ入力データに関連付けられた入力カテゴリーを判断するために前記データパケットヘッダをパースすることと、
前記判断された入力カテゴリーに基づいて前記ペイロードデータを処理することと
を備える、コンピュータ可読記憶媒体。
【請求項６２】
ワイヤレスシンクデバイスとして機能するように構成された乗り物ダッシュボードからユーザ入力データを受信するように構成されたワイヤレスソースデバイスであって、前記ワイヤレスソースデバイスは、
前記ダッシュボードからデータパケットを受信するための手段と、ここで、前記データパケットがデータパケットヘッダとペイロードデータとを備える、
前記ペイロードデータ中に含まれているユーザ入力データに関連付けられた入力カテゴリーを判断するために前記データパケットヘッダをパースするための手段と、
前記判断された入力カテゴリーに基づいて前記ペイロードデータを処理するための手段と
を備える、ワイヤレスソースデバイス。
【請求項６３】
ワイヤレスシンクデバイスとして機能するように構成された乗り物ダッシュボードとワイヤレスソースデバイスとの間で通信する方法であって、前記方法は、
前記ダッシュボードと通信するために前記ソースデバイスを認証することと、
前記ダッシュボードから前記ソースデバイスに、前記ダッシュボードが配置された乗り物の動作状態を示すデータを通信することと、
前記乗り物の前記動作状態に基づいて前記ソースデバイスの前記動作状態を設定することと、
ダッシュボードシンクから前記ソースデバイスにユーザ入力データと乗り物データとのうちの少なくとも１つを通信することと
を備える、方法。
【手続補正２】
【補正対象書類名】明細書
【補正対象項目名】０１８５
【補正方法】変更
【補正の内容】
【０１８５】
[00201]本開示の様々な態様について説明した。これらおよび他の態様は以下の特許請求の範囲内に入る。
以下に、本願出願の当初の特許請求の範囲に記載された発明を付記する。
［Ｃ１］
ワイヤレスシンクデバイスとして機能するように構成された乗り物ダッシュボードからワイヤレスソースデバイスにユーザ入力データを送信する方法であって、前記方法は、
前記ダッシュボードのディスプレイデバイスにおいてユーザ入力データを取得することと、
データパケットヘッダを生成することと、ここで、前記データパケットヘッダは、前記ユーザ入力データの入力カテゴリーを識別するためのフィールドを備える、
前記データパケットヘッダとペイロードデータとを備えるデータパケットを生成することと、
前記データパケットを前記ワイヤレスソースデバイスに送信することと
を備える、方法。
［Ｃ２］
前記ダッシュボードが、前記ソースデバイスからヘッダとペイロードデータとを備えるデータパケットを受信することと、ここで、前記ペイロードデータは、符号化ビデオデータを備える、
前記ダッシュボードのビデオデコーダが、前記符号化ビデオデータを復号することと、
前記復号されたビデオデータに基づいて、前記ソースデバイス上に常駐する少なくとも１つのアプリケーションのグラフィカルユーザインターフェースをレンダリングすることと、
前記ダッシュボードの前記ディスプレイデバイスにおいて、前記グラフィカルユーザインターフェースを出力することと
をさらに備える、［Ｃ１］に記載の方法。
［Ｃ３］
前記ユーザ入力データは、前記ソースデバイス上に常駐する前記少なくとも１つのアプリケーションの前記グラフィカルユーザインターフェースとの前記ダッシュボードの前記ディスプレイデバイスにおけるユーザインタラクトを示すデータを備える、
［Ｃ２］に記載の方法。
［Ｃ４］
前記ユーザ入力データは、前記ソースデバイス上に常駐する１つまたは複数のアプリケーションとの前記ダッシュボードの前記ディスプレイデバイスにおけるユーザインタラクトを示すデータを備える、
［Ｃ１］に記載の方法。
［Ｃ５］
前記ダッシュボードが、前記ソースデバイスから認証キーを備えるデータを受信することと、
前記認証キーに基づいて前記ソースデバイスとの通信セッションを開くべきかどうかを判断することと、
前記ダッシュボードとの通信のために、前記ソースデバイスが認証されたことを示すメッセージを前記ソースデバイスに送信することと
をさらに備える、［Ｃ１］に記載の方法。
［Ｃ６］
前記ダッシュボードが、前記認証キーを備えるデータを受信することは、前記ダッシュボードが、前記ソースデバイスから前記認証キーを備える暗号化データを受信することを備え、前記データを解読することをさらに備える、
［Ｃ５］に記載の方法。
［Ｃ７］
チャレンジキーを備えるデータを前記ワイヤレスソースデバイスに送信することをさらに備え、前記認証キーが、前記チャレンジキーを備える前記データの少なくとも一部に関連付けられる、
［Ｃ５］に記載の方法。
［Ｃ８］
前記ダッシュボードが、前記ソースデバイスの動作状態が乗り物の動作状態に基づいて設定されるように前記ダッシュボードが配置された前記乗り物の前記動作状態を示すメッセージを、前記ソースデバイスに送信することをさらに備える、
［Ｃ１］に記載の方法。
［Ｃ９］
前記メッセージは、前記乗り物が移動していることを示し、前記ダッシュボードが、前記ソースデバイスに前記ソースデバイスの１つまたは複数の機能へのアクセスを制限させるように構成されたコマンドを、前記ソースデバイスに送信することをさらに備える、
［Ｃ８］に記載の方法。
［Ｃ１０］
前記コマンドは、前記ソースデバイスに電話発呼、テキストメッセージング、および電子メール機能のうちの少なくとも１つを備える１つまたは複数のユーザ機能へのアクセスを制限させるように構成される、
［Ｃ９］に記載の方法。
［Ｃ１１］
前記ダッシュボードが、前記ダッシュボードが配置された乗り物の前記動作に関係するデータを取得することと、
前記乗り物の前記動作に関係する前記データを前記ソースデバイスに送信することと
をさらに備える、［Ｃ１］に記載の方法。
［Ｃ１２］
前記乗り物の前記動作に関係する前記データは、乗り物速度、加速度、制動、ガスマイレージ、エラーコード、および診断データのうちの少なくとも１つを備える、
［Ｃ１１］に記載の方法。
［Ｃ１３］
前記乗り物は、自動車を備える、
［Ｃ１］に記載の方法。
［Ｃ１４］
ワイヤレスシンクデバイスとして機能し、ワイヤレスソースデバイスにユーザ入力データを送信するように構成された乗り物ダッシュボードであって、前記ダッシュボードは、
命令を記憶するメモリと、
ユーザ入力データを取得するように構成されたディスプレイデバイスと、
前記命令を実行するように構成された１つまたは複数のプロセッサと、ここで、前記命令の実行時に前記１つまたは複数のプロセッサが、
データパケットヘッダを生成することと、ここで、前記データパケットヘッダは、前記ユーザ入力データの入力カテゴリーを識別するためのフィールドを備える、
前記データパケットヘッダとペイロードデータとを備えるデータパケットを生成することと
を引き起こす、１つまたは複数のプロセッサと、
前記データパケットを前記ワイヤレスソースデバイスに送信するためのトランスポートユニットと
を備える、乗り物ダッシュボード。
［Ｃ１５］
ビデオデコーダをさらに備え、前記トランスポートユニットは、前記ソースデバイスからヘッダとペイロードデータとを備えるデータパケットを受信し、前記ペイロードデータが符号化ビデオデータを備え、前記ダッシュボードの前記ビデオデコーダが前記符号化ビデオデータを復号し、前記命令の実行時に前記１つまたは複数のプロセッサが、
前記復号されたビデオデータに基づいて、前記ソースデバイス上に常駐する少なくとも１つのアプリケーションのグラフィカルユーザインターフェースをレンダリングすることと、
前記ディスプレイデバイスにおいて前記グラフィカルユーザインターフェースを出力することと
を引き起こす、［Ｃ１４］に記載の乗り物ダッシュボード。
［Ｃ１６］
前記ユーザ入力データは、前記ソースデバイス上に常駐する前記少なくとも１つのアプリケーションの前記グラフィカルユーザインターフェースとの前記ダッシュボードの前記ディスプレイデバイスにおけるユーザインタラクトを示すデータを備える、
［Ｃ１５］に記載の乗り物ダッシュボード。
［Ｃ１７］
前記ユーザ入力データは、前記ソースデバイス上に常駐する１つまたは複数のアプリケーションとの前記ダッシュボードの前記ディスプレイデバイスにおけるユーザインタラクトを示すデータを備える、
［Ｃ１４］に記載の乗り物ダッシュボード。
［Ｃ１８］
前記トランスポートユニットが、前記ソースデバイスから認証キーを備えるデータを受信することと、
前記命令の実行時に前記１つまたは複数のプロセッサが、前記認証キーに基づいて前記ソースデバイスとの通信セッションを開くべきかどうかを判断することを引き起こすことと、
前記トランスポートユニットが、前記ダッシュボードとの通信のために、前記ソースデバイスが認証されたことを示すメッセージを、前記ソースデバイスに送信することと
をさらに備える、［Ｃ１４］に記載の乗り物ダッシュボード。
［Ｃ１９］
前記トランスポートユニットが、前記ソースデバイスから認証キーを備える暗号化データを受信することをさらに備え、前記命令の実行時に前記１つまたは複数のプロセッサが、前記データを解読することを引き起こす、
［Ｃ１８］に記載の乗り物ダッシュボード。
［Ｃ２０］
前記トランスポートユニットは、チャレンジキーを備えるデータを前記ワイヤレスソースデバイスに送信し、前記認証キーが、前記チャレンジキーを備える前記データの少なくとも一部に関連付けられる、
［Ｃ１８］に記載の乗り物ダッシュボード。
［Ｃ２１］
前記トランスポートユニットは、前記ソースデバイスの動作状態が乗り物の動作状態に基づいて設定されるように前記ダッシュボードが配置された前記乗り物の前記動作状態を示すメッセージを、前記ソースデバイスに送信することをさらに備える、［Ｃ１４］に記載の乗り物ダッシュボード。
［Ｃ２２］
前記メッセージは、前記乗り物が移動していることを示し、前記トランスポートユニットが、前記ソースデバイスに前記ソースデバイスの１つまたは複数の機能へのアクセスを制限させるように構成されたコマンドを前記ソースデバイスに送信することをさらに備える、
［Ｃ２１］に記載の乗り物ダッシュボード。
［Ｃ２３］
前記コマンドは、前記ソースデバイスに電話発呼、テキストメッセージング、および電子メール機能のうちの少なくとも１つを備える１つまたは複数のユーザ機能へのアクセスを制限させるように構成される、
［Ｃ２２］に記載の乗り物ダッシュボード。
［Ｃ２４］
前記命令の実行時に前記１つまたは複数のプロセッサが、前記ダッシュボードが配置された乗り物の前記動作に関係するデータを取得することを引き起こすことと、
前記トランスポートユニットが、前記乗り物の前記動作に関係する前記データを前記ソースデバイスに送信することと
をさらに備える、［Ｃ１４］に記載の乗り物ダッシュボード。
［Ｃ２５］
前記乗り物の前記動作に関係する前記データは、乗り物速度、加速度、制動、ガスマイレージ、エラーコード、および診断データのうちの少なくとも１つを備える、
［Ｃ２４］に記載の乗り物ダッシュボード。
［Ｃ２６］
前記乗り物は、自動車を備える、
［Ｃ１］に記載の乗り物ダッシュボード。
［Ｃ２７］
１つまたは複数のプロセッサによって実行されると、ワイヤレスシンクデバイスとして機能するように構成された乗り物ダッシュボードからワイヤレスソースデバイスにユーザ入力データを送信する方法を実行することを前記１つまたは複数のプロセッサに行わせる、命令を記憶するコンピュータ可読記憶媒体であって、前記方法は、
前記ダッシュボードのディスプレイデバイスにおいてユーザ入力データを取得することと、
データパケットヘッダを生成することと、ここで、前記データパケットヘッダは、前記ユーザ入力データの入力カテゴリーを識別するためのフィールドを備える、
前記データパケットヘッダとペイロードデータとを備えるデータパケットを生成することと、
前記データパケットを前記ワイヤレスソースデバイスに送信することと
を備える、コンピュータ可読記憶媒体。
［Ｃ２８］
ワイヤレスシンクデバイスとして機能し、ワイヤレスソースデバイスにユーザ入力データを送信するように構成された乗り物ダッシュボードであって、前記ワイヤレスシンクデバイスは、
前記ダッシュボードのディスプレイデバイスにおいてユーザ入力データを取得するための手段と、
データパケットヘッダを生成するための手段と、ここで、前記データパケットヘッダは、前記ユーザ入力データの入力カテゴリーを識別するためのフィールドを備える、
前記データパケットヘッダとペイロードデータとを備えるデータパケットを生成するための手段と、
前記データパケットを前記ワイヤレスソースデバイスに送信するための手段と
を備える、乗り物ダッシュボード。
［Ｃ２９］
ワイヤレスソースデバイスにおいて、ワイヤレスシンクデバイスとして機能するように構成された乗り物ダッシュボードからユーザ入力データを受信する方法であって、前記方法は、
前記ダッシュボードからデータパケットを受信することと、ここで、前記データパケットは、データパケットヘッダとペイロードデータとを備える、
前記ペイロードデータ中に含まれているユーザ入力データに関連付けられた入力カテゴリーを判断するために前記データパケットヘッダをパースすることと、
前記判断された入力カテゴリーに基づいて前記ペイロードデータを処理することと
を備える、方法。
［Ｃ３０］
前記ソースデバイスが、前記ソースデバイス上に常駐する少なくとも１つのアプリケーションのグラフィカルユーザインターフェースを備えるビデオデータをキャプチャすることと、
前記ソースデバイスのビデオエンコーダが前記ビデオデータを符号化することと、
ヘッダとペイロードデータとを備えるデータパケットを前記ダッシュボードに送信することと
をさらに備え、前記ペイロードデータは、前記符号化ビデオデータを備える、
［Ｃ２９］に記載の方法。
［Ｃ３１］
前記ユーザ入力データが、前記ソースデバイス上に常駐する前記少なくとも１つのアプリケーションの前記グラフィカルユーザインターフェースとの前記ダッシュボードのディスプレイデバイスにおけるユーザインタラクトを示すデータを備える、
［Ｃ３０］に記載の方法。
［Ｃ３２］
前記ユーザ入力データが、前記ソースデバイス上に常駐する１つまたは複数のアプリケーションとの前記ダッシュボードのディスプレイデバイスにおけるユーザインタラクトを示すデータを備える、
［Ｃ２９］に記載の方法。
［Ｃ３３］
前記ソースデバイスから前記ダッシュボードに認証キーを備えるデータを送信することと、ここで、前記ダッシュボードは、前記認証キーに基づいて前記ソースデバイスとの通信セッションを開くべきかどうかを判断するように構成される、
前記ソースデバイスが、前記ダッシュボードから、前記ダッシュボードとの通信のために、前記ソースデバイスが認証されたことを示すメッセージを受信することと
をさらに備える、［Ｃ２９］に記載の方法。
［Ｃ３４］
前記ソースデバイスが、前記認証キーを備える前記データを暗号化することをさらに備え、前記ダッシュボードは、前記データを解読するように構成される、
［Ｃ３３］に記載の方法。
［Ｃ３５］
前記ソースデバイスは、前記ダッシュボードからチャレンジキーを備えるデータを受信することをさらに備え、前記認証キーは、前記チャレンジキーを備える前記データの少なくとも一部に関連付けられる、
［Ｃ３３］に記載の方法。
［Ｃ３６］
前記ソースデバイスは、前記ダッシュボードから、前記ダッシュボードが配置された乗り物の動作状態を示すメッセージを受信することと、
前記乗り物の前記動作状態に基づいて前記ソースデバイスの動作状態を設定することと
をさらに備える、［Ｃ２９］に記載の方法。
［Ｃ３７］
前記メッセージは、前記乗り物が移動していることを示し、前記乗り物が移動している間、前記ソースデバイスの１つまたは複数の機能へのアクセスを制限することをさらに備える、
［Ｃ３６］に記載の方法。
［Ｃ３８］
前記ソースデバイスの１つまたは複数の機能へのアクセスを制限することは、電話発呼、テキストメッセージング、および電子メール機能のうちの少なくとも１つを備える１つまたは複数のユーザ機能へのアクセスを制限することを備える、
［Ｃ３７］に記載の方法。
［Ｃ３９］
前記ソースデバイスが、前記ダッシュボードからメッセージを受信することと、ここで、前記メッセージは、前記ダッシュボードが配置された前記乗り物の前記動作に関係するデータを備える、
前記ソースデバイスが、前記ダッシュボードによって送信された前記メッセージ中の前記データの少なくとも一部を処理することと
をさらに備える、［Ｃ２９］に記載の方法。
［Ｃ４０］
前記乗り物の前記動作に関係する前記データが、乗り物速度、加速度、制動、ガスマイレージ、エラーコード、および診断データのうちの少なくとも１つを備える、
［Ｃ３９］に記載の方法。
［Ｃ４１］
前記ソースデバイスが、前記データの少なくとも一部を処理することは、前記ソースデバイスが、乗り物ガスマイレージデータを乗り物速度、加速度、および制動データのうちの少なくとも１つに相関させることを備える、
［Ｃ４０］に記載の方法。
［Ｃ４２］
前記ソースデバイスが、前記データの少なくとも一部を処理することは、前記ソースデバイスが、前記ダッシュボードが配置された前記乗り物にサービスについての電子要求を自動的に送信することを備える、
［Ｃ４０］に記載の方法。
［Ｃ４３］
前記ソースデバイスが、前記データの少なくとも一部を処理することは、前記ソースデバイスが、前記ダッシュボードが配置された前記乗り物をサービスしてもらうための電子リマインダを自動的に生成することを備える、
［Ｃ４０］に記載の方法。
［Ｃ４４］
前記乗り物は、自動車を備える、
［Ｃ２９］に記載の方法。
［Ｃ４５］
ワイヤレスシンクデバイスとして機能するように構成された乗り物ダッシュボードからユーザ入力データを受信するように構成されたワイヤレスソースデバイスであって、前記ワイヤレスソースデバイスは、
前記ダッシュボードからデータパケットを受信するためのトランスポートユニットであって、前記データパケットがデータパケットヘッダとペイロードデータとを備える、トランスポートユニットと、
命令を記憶するメモリと、
前記命令を実行するように構成された１つまたは複数のプロセッサと
を備え、前記命令の実行時に前記１つまたは複数のプロセッサが、
前記ペイロードデータ中に含まれているユーザ入力データに関連付けられた入力カテゴリーを判断するために前記データパケットヘッダをパースすることと、
前記判断された入力カテゴリーに基づいて前記ペイロードデータを処理することと
を引き起こす、ワイヤレスソースデバイス。
［Ｃ４６］
ビデオエンコーダをさらに備え、前記命令の実行時に前記１つまたは複数のプロセッサが、前記ソースデバイス上に常駐する少なくとも１つのアプリケーションのグラフィカルユーザインターフェースを備えるビデオデータをキャプチャすることを引き起こし、前記ビデオエンコーダが前記ビデオデータを符号化し、前記トランスポートユニットがヘッダとペイロードデータとを備えるデータパケットを前記ダッシュボードに送信し、前記ペイロードデータが前記符号化ビデオデータを備える、
［Ｃ４５］に記載のソースデバイス。
［Ｃ４７］
前記ユーザ入力データは、前記ソースデバイス上に常駐する前記少なくとも１つのアプリケーションの前記グラフィカルユーザインターフェースとの前記ダッシュボードのディスプレイデバイスにおけるユーザインタラクトを示すデータを備える、
［Ｃ４６］に記載のソースデバイス。
［Ｃ４８］
前記ユーザ入力データは、前記ソースデバイス上に常駐する１つまたは複数のアプリケーションとの前記ダッシュボードのディスプレイデバイスにおけるユーザインタラクトを示すデータを備える、
［Ｃ４５］に記載のソースデバイス。
［Ｃ４９］
前記トランスポートユニットは、
前記ソースデバイスから前記ダッシュボードに認証キーを備えるデータを送信することと、ここで、前記ダッシュボードは、前記認証キーに基づいて前記ソースデバイスとの通信セッションを開くべきかどうかを判断するように構成される、
前記ダッシュボードから、前記ダッシュボードとの通信のために、前記ソースデバイスが認証されたことを示すメッセージを受信することと
を行う、［Ｃ４５］に記載のソースデバイス。
［Ｃ５０］
前記命令の実行時に前記１つまたは複数のプロセッサが、前記認証キーを備える前記データを暗号化することを引き起こすことをさらに備え、前記ダッシュボードは、前記データを解読するように構成される、
［Ｃ４９］に記載のソースデバイス。
［Ｃ５１］
前記トランスポートユニットが、前記ダッシュボードからチャレンジキーを備えるデータを受信することをさらに備え、前記認証キーが、前記チャレンジキーを備える前記データの少なくとも一部に関連付けられる、
［Ｃ４９］に記載のソースデバイス。
［Ｃ５２］
前記トランスポートユニットが、前記ダッシュボードから、前記ダッシュボードが配置された乗り物の動作状態を示すメッセージを受信することと、
前記命令の実行時に前記１つまたは複数のプロセッサが、前記乗り物の前記動作状態に基づいて前記ソースデバイスの動作状態を設定することを引き起こすことと
をさらに備える、［Ｃ４５］に記載のソースデバイス。
［Ｃ５３］
前記メッセージは、前記乗り物が移動していることを示し、前記命令の実行時に前記１つまたは複数のプロセッサが、前記乗り物が移動している間、前記ソースデバイスの１つまたは複数の機能へのアクセスを制限することを引き起こすことをさらに備える、
［Ｃ５２］に記載のソースデバイス。
［Ｃ５４］
前記命令の実行時に、前記１つまたは複数のプロセッサが、前記ソースデバイスの１つまたは複数の機能へのアクセスを制限させることは、電話発呼、テキストメッセージング、および電子メール機能のうちの少なくとも１つを備える１つまたは複数のユーザ機能へのアクセスを制限することを引き起こすことを備える、
［Ｃ５３］に記載のソースデバイス。
［Ｃ５５］
前記トランスポートユニットが、前記ダッシュボードからメッセージを受信することと、ここで、前記メッセージは、前記ダッシュボードが配置された前記乗り物の前記動作に関係するデータを備える、
前記命令の実行時に前記１つまたは複数のプロセッサが、前記ダッシュボードによって送信された前記メッセージ中の前記データの少なくとも一部を処理することを引き起こすことと
をさらに備える、［Ｃ４５］に記載のソースデバイス。
［Ｃ５６］
前記乗り物の前記動作に関係する前記データは、乗り物速度、加速度、制動、ガスマイレージ、エラーコード、および診断データのうちの少なくとも１つを備える、
［Ｃ５５］に記載のソースデバイス。
［Ｃ５７］
前記命令の実行時に前記１つまたは複数のプロセッサが前記データの少なくとも一部を処理することを引き起こすことは、前記ソースデバイスが乗り物ガスマイレージデータを乗り物速度、加速度、および制動データのうちの少なくとも１つに相関することを引き起こすことを備える、
［Ｃ５６］に記載のソースデバイス。
［Ｃ５８］
前記命令の実行時に前記１つまたは複数のプロセッサが前記データの少なくとも一部を処理することを引き起こすことは、前記トランスポートユニットに、サービスについての電子要求を前記ダッシュボードが配置された前記乗り物に送信することを行わせることを備える、
［Ｃ５６］に記載のソースデバイス。
［Ｃ５９］
前記命令の実行時に前記１つまたは複数のプロセッサが前記データの少なくとも一部を処理することを引き起こすことは、前記ダッシュボードが配置された前記乗り物をサービスしてもらうための電子リマインダを自動的に生成することを行わせることを備える、
［Ｃ５６］に記載のソースデバイス。
［Ｃ６０］
前記乗り物は、自動車を備える、
［Ｃ４５］に記載のソースデバイス。
［Ｃ６１］
１つまたは複数のプロセッサによって実行されると、ワイヤレスシンクデバイスとして機能するように構成された乗り物ダッシュボードからワイヤレスソースデバイスにおいてユーザ入力データを受信する方法を実行することを前記１つまたは複数のプロセッサに行わせる、命令を記憶するコンピュータ可読記憶媒体であって、前記方法は、
前記ダッシュボードからデータパケットを受信することと、ここで、前記データパケットがデータパケットヘッダとペイロードデータとを備える、
前記ペイロードデータ中に含まれているユーザ入力データに関連付けられた入力カテゴリーを判断するために前記データパケットヘッダをパースすることと、
前記判断された入力カテゴリーに基づいて前記ペイロードデータを処理することと
を備える、コンピュータ可読記憶媒体。
［Ｃ６２］
ワイヤレスシンクデバイスとして機能するように構成された乗り物ダッシュボードからユーザ入力データを受信するように構成されたワイヤレスソースデバイスであって、前記ワイヤレスソースデバイスは、
前記ダッシュボードからデータパケットを受信するための手段と、ここで、前記データパケットがデータパケットヘッダとペイロードデータとを備える、
前記ペイロードデータ中に含まれているユーザ入力データに関連付けられた入力カテゴリーを判断するために前記データパケットヘッダをパースするための手段と、
前記判断された入力カテゴリーに基づいて前記ペイロードデータを処理するための手段と
を備える、ワイヤレスソースデバイス。
［Ｃ６３］
ワイヤレスシンクデバイスとして機能するように構成された乗り物ダッシュボードとワイヤレスソースデバイスとの間で通信する方法であって、前記方法は、
前記ダッシュボードと通信するために前記ソースデバイスを認証することと、
前記ダッシュボードから前記ソースデバイスに、前記ダッシュボードが配置された乗り物の前記動作状態を示すデータを通信することと、
前記乗り物の前記動作状態に基づいて前記ソースデバイスの前記動作状態を設定することと、
ダッシュボードシンクから前記ソースデバイスにユーザ入力データと乗り物データとのうちの少なくとも１つを通信することと
を備える、方法。